(57)【要約】【課題】  締結後にパネルの外側にはボルトの余分なねじ軸部が突出せず、薄い金属板に対しても大きな締結力が得られ、特に耐振性のすぐれた係止締結装置を提供すること。【解決手段】  パネル材４０に設けた取付孔４１に嵌挿して、パネル材４０の外側からのみの操作により締結できる係止締結装置１であって、一端に頭部３を有するボルト２のねじ軸部４に、座金５、拡開用スリーブ６、拡開爪付き係止金具７及びナット８を順に、かつ互いに回転不可の係止状態に組み付けられている。ねじ軸部４のナット８側を取付孔４１の外側から嵌挿し、座金５をパネル材４０の外側面に押接固定して拡開用スリーブ６、拡開爪付き係止金具７及びナット８と共に回転を止めた状態で、ボルト２をねじ込み、ねじ軸部４に螺合するナット８の自進作用により、拡開爪付き係止金具７をパネル材４０の内側へ引き寄せると共に、その拡開爪２４を拡開スリーブ６の外周面によって拡開させ、拡開した拡開爪付き係止金具７と座金５との間にパネル材４０を挟持固定する。【選択図】      図９
2006057776.tif 000002
【特許請求の範囲】
【請求項１】
パネル材に設けた取付孔に嵌挿して、前記パネル材の外側からのみの操作により締結できる係止締結装置であって、
一端に頭部を有するボルトのねじ軸部に、座金、拡開用スリーブ、拡開爪付き係止金具及びナットを順に、かつ互いに回転不可の係止状態に組み付け、
前記ねじ軸部の前記ナット側を前記取付孔の外側から嵌挿し、前記座金を前記パネル材の外側面に押接固定して前記拡開用スリーブ、拡開爪付き係止金具及びナットと共に回転を止めた状態で、前記ボルトをねじ込み、前記ねじ軸部に螺合する前記ナットの自進作用により、前記拡開爪付き係止金具を前記パネル材の内側へ引き寄せると共に、その拡開爪を前記拡開スリーブの外周面によって拡開させ、拡開した前記拡開爪付き係止金具と前記座金との間に前記パネル材を挟持固定することを特徴とするパネル材の係止締結装置。
【請求項２】
前記座金の通孔の周縁部に設けた切欠き部に、前記拡開用スリーブの基端部に突設した係止爪が係合し、前記拡開用スリーブの前端部に突設した回り止め爪が、前記拡開爪付き係止金具の前記拡開爪の間に形成された割り溝に係合し、さらに前記拡開爪付き係止金具に取り付けたナット受け具に、前記ナットが回り止め状態に係合することによって、前記ボルトのねじ軸部に取り付けた前記座金、拡開用スリーブ、拡開爪付き係止金具及びナットが互いに回転不可の係止状態に組み付けられている請求項１記載のパネル材の係止締結装置。
【請求項３】
前記拡開用スリーブの前端部に、前記拡開爪付き係止金具の開口部に嵌合する位置決め案内部と、前記回り止め爪の間に形成され前記拡開爪を拡開誘導する傾斜面とが設けられている請求項１又は２記載のパネル材の係止締結装置。
【請求項４】
前記ナットが、ゆるみ止め機能を備えたゆるみ止めナットである請求項１、２又は３記載のパネル材の係止締結装置。
【発明の詳細な説明】
【技術分野】
【０００１】
本発明は、金属薄板などのパネル材に設けた取付孔に嵌挿して、パネル材の外側からのみの操作により締結できる係止締結装置に関するものである。
【背景技術】
【０００２】
従来、この種の係止締結装置として、ボルトの頭部に隣接したねじ軸部に拡開爪付き係止金具と拡開用スリーブを嵌装すると共に、前記ねじ軸部の先端部分に座金を介してナットを螺着し、ボルトの頭部側をパネル材に設けた取付孔に外側から嵌挿して、前記ねじ軸部の先端に設けた回転止め部により前記ボルトの回転を止めた状態で前記ナットをねじ込み、ボルトと共に拡開爪付き係止金具をパネル材側に引き寄せて、前記拡開用スリーブにより前記係止金具の各拡開爪を拡開させ、拡開した前記係止金具と前記座金との間に前記パネル材を挟持固定するようにしたものは知られている（例えば、特許文献１、特許文献２参照）。
【０００３】
しかし、上記従来の係止締結装置は、締結完了後にボルトの余分なねじ軸部がパネル材の外側に突出し、見栄えが悪く外観上好ましくないだけではなく、作業者にとって極めて危険である。このようにパネル材の外側に突出した余分なねじ軸部を切断するには、手間を要し、コストが高くつくという問題があった。
【０００４】
また、この種の係止締結装置の別のタイプとして、ボルトのねじ軸部に座金と、予め拡開した弾性変形可能な拡開爪を有し、かつナットを組み付けた係止金具とを嵌装し、パネルに設けた取付孔に前記係止金具側を外側から挿入すると、前記拡開爪が閉じるように弾性変形し、通過したのち開いてパネル材の内側に係止され、前記ボルトを前記ナットにねじ込んで前記係止金具をパネル側へ引き寄せることにより、前記座金と前記係止金具の間にパネル材を挟持固定するようにしたものも知られている（例えば、特許文献３参照）。
【０００５】
上記したタイプの係止締結装置は、締結後、パネル材の外側には座金とボルト頭部しか露出しないので、作業の障害になることはないけれども、前記拡開爪の強度が小さく、ボルトのねじ込み力が大きいと前記拡開爪が座屈するので、軽荷重の用途にしか使用できない。
【特許文献１】特開平１０−２５７１５号公報
【特許文献２】特開平２００１−２３４５１３号公報
【特許文献３】特開平２００２−１２２１０９号公報
【発明の開示】
【発明が解決しようとする課題】
【０００６】
本発明は、締結後にパネルの外側にはボルトの余分なねじ軸部が突出せず、薄い金属板に対しても大きな締結力が得られ、特に耐振性のすぐれた係止締結装置を提供することを目的としている。
【課題を解決するための手段】
【０００７】
上記目的を達成するために、本発明は、パネル材に設けた取付孔に嵌挿して、前記パネル材の外側からのみの操作により締結できる係止締結装置であって、一端に頭部を有するボルトのねじ軸部に、座金、拡開用スリーブ、拡開爪付き係止金具及びナットを順に、かつ互いに回転不可の係止状態に組み付け、前記ねじ軸部の前記ナット側を前記取付孔の外側から嵌挿し、前記座金を前記パネル材の外側面に押接固定して前記拡開用スリーブ、拡開爪付き係止金具及びナットと共に回転を止めた状態で、前記ボルトをねじ込み、前記ねじ軸部に螺合する前記ナットの自進作用により、前記拡開爪付き係止金具を前記パネル材の内側へ引き寄せると共に、その拡開爪を前記拡開スリーブの外周面によって拡開させ、拡開した前記拡開爪付き係止金具と前記座金との間に前記パネル材を挟持固定することを特徴とする。
【０００８】
前記ボルトのねじ軸部に組み付けられる前記座金、拡開用スリーブ、拡開爪付き係止金具及びナットの具体的な係止手段としては、前記座金の通孔の周縁部に設けた切欠き部に、前記拡開用スリーブの基端部に突設した係止爪が係合し、前記拡開用スリーブの前端部に突設した回り止め爪が、前記拡開爪付き係止金具の前記拡開爪の間に形成された割り溝に係合し、さらに前記拡開爪付き係止金具に取り付けたナット受け具に、前記ナットが回り止め状態に係合することによって、前記ボルトのねじ軸部に取り付けた前記座金、拡開用スリーブ、拡開爪付き係止金具及びナットが互いに回転不可の係止状態に組み付けられている構造とする。
【０００９】
また、前記拡開用スリーブの前端部に、前記拡開爪付き係止金具の開口部に嵌合する位置決め案内部と、前記回り止め爪の間に形成され前記拡開爪を拡開誘導する傾斜面とが設けられていることが好ましい。
【発明の効果】
【００１０】
本発明によれば、締結後にパネルの外側にボルトの余分なねじ軸部が突出しないので、見栄えが良く、作業の障害にもならない。しかも、大きな締結力が得られる。
【００１１】
また、ボルトに螺合するナットにゆるみ止めナットを採用すると、振動による拡開爪付き係止金具の脱落防止効果が大きく、すぐれた耐振性が得られる。
【発明を実施するための最良の形態】
【００１２】
以下、本発明の好適な実施の形態を図面に基づいて説明する。
【００１３】
図１〜図３は、本発明に係る係止締結装置１を示している。該係止締結装置１は、一端に頭部３を有するボルト２のねじ軸部４に、座金５、拡開用スリーブ６、拡開爪付き係止金具７及びナット８を順に取り付け、かつ互いに回転不可の係止状態に組み付けて構成されている。
【００１４】
座金５は、図４に示すように、周縁部に使用時に回転を止めて押接固定する工具（図示せず）が係合する平坦面１１を有し、中央部に穿設した通孔１２の周縁部に拡開用スリーブ６を係合する一対の切欠き部１３，１３が相対向して設けられている。
【００１５】
拡開用スリーブ６は、図５に示すように、ボルト２のねじ軸部４が挿通する貫通孔１５を設けた円筒体１４の基端部に座金５の切欠き部１３，１３に係合する係止爪１６，１６が突設されている。また、円筒体１４の前端部には、拡開爪付き係止金具７の開口部２２に嵌合する位置きめ案内部１７と、後述する拡開爪２４の間に形成される割り溝２３に係合する４つの回り止め爪１８と、回り止め爪１８の間に周方向へ延びて形成され、拡開爪２４を拡開誘導する傾斜面１９とが設けられている。このような構造を有する拡開用スリーブ６は、金属材料又は硬質プラスチック材料により成形加工することができる。
【００１６】
拡開爪付き係止金具７は、図６に示すように、金属板をプレス加工して製造され、有底筒状体に加工された本体２１の前端開口部２２の端縁から軸方向へ延びる複数の割り溝２３を設けて４つの拡開爪２４が形成されており、後端の底板部２５にボルト２のねじ軸部４が挿通する通孔２６が設けられている。また、通孔２６の周縁部には後述するナット受け具９を係合する一対の切欠き部２７，２７が設けられている。
【００１７】
ナット受け具９は、図７に示すように、金属板をプレス加工して製造され、ボルト２のねじ軸部４が挿通する通孔２９を設けたリング状体２８の一側方に拡開爪付き係止金具７の切欠き部２７，２７に係合する一対の係止爪３０，３０が突設され、リング状体２８の他側方にナット８を回り止め状態に係合して保持する４つの支持部片３１が突設されている。
【００１８】
ナット８は、振動による脱落防止のため、図８に示すように、ねじ孔３２の頂部に弾性リング３３を組み込んだゆるみ止めナットを使用することが望ましいが、用途によっては通常のナットを使用してもよい。
【００１９】
上記した構成を有する座金５、拡開用スリーブ６及び拡開爪付き係止金具７を順に、図１及び図３に示すように、ボルト２のねじ軸部４に嵌装して、互いに回転不可の係合状態に組み付け、さらにねじ軸部４に螺着したナット８をナット受け具９を介して拡開爪付き係止金具７に回転不可の係止状態に組み付けて係止締結装置１とする。
【００２０】
図９及び図１０は、上記した係止締結装置１の使用例を示している。図９に示すように、ねじ軸部４のナット８側をパネル材４０に設けた取付孔４１にパネル４０の外側から嵌挿し、座金５を工具（図示せず）を用いてパネル材４０の外側面に押接固定し、拡開用スリーブ６、拡開爪付き係止金具７及びナット８と共に回転を止めた状態で、ボルト２の頭部３に係合した回動工具（図示せず）によりボルト２を回転させてねじ込むと、そのねじ軸部４に螺合するナット８の自進作用によって拡開爪付き係止金具７がパネル材４０の内側に引き寄せられると共に、各拡開爪２４が拡開用スリーブ６の傾斜面１９に案内誘導されて拡開し、さらに拡開用スリーブ６の外周面によって大きく拡開せしめられ、拡開した拡開爪２４が、図１０に示すように、パネル材４０の内側面に押接し、拡開爪付き係止金具７と座金５との間にパネル材４０を挟持固定する。また、ナット８はゆるみ止めナットを使用しているので、振動による拡開爪付き係止金具７の脱落を防止でき、すぐれた耐振性能を有している。
【産業上の利用可能性】
【００２１】
本発明による係止締結装置は、高速道路等に構築した防音壁の防音パネルの取付けに使用するのに好適である。
【図面の簡単な説明】
【００２２】
【図１】本発明に係る係止締結装置の正面図である。
【図２】同上側面図である。
【図３】同上縦断正面図である。
【図４】座金の斜視図である。
【図５】拡開用スリーブの斜視図である。
【図６】拡開爪付き係止金具の斜視図である。
【図７】ナット受け具の斜視図である。
【図８】ナットの縦断正面図である。
【図９】本発明に係る係止締結装置の使用例を示し、パネルの取付孔に挿入した締結準備状態を示す正面図である。
【図１０】同上締結完了状態を示す正面図である。
【符号の説明】
【００２３】
１  係止締結装置
２  ボルト
３  頭部
４  ねじ軸部
５  座金
６  拡開用スリーブ
７  拡開爪付き係止金具
８  ナット
９  ナット受け具
２４  拡開爪
【図１】
2006057776.tif 000003
【図２】
2006057776.tif 000004
【図３】
2006057776.tif 000005
【図４】
2006057776.tif 000006
【図５】
2006057776.tif 000007
【図６】
2006057776.tif 000008
【図７】
2006057776.tif 000009
【図８】
2006057776.tif 000010
【図９】
2006057776.tif 000011
【図１０】
2006057776.tif 000012